(57)【要約】      （修正有）【課題】印刷物流内で第１の速度で連続的かつ背に対して横に移送方向に対して傾斜した背の姿勢で移送されるブックブロックを受け取り、第２の速度で背の長手方向に無線綴じ機の搬送クランプ内に移動させる。【解決手段】第１の移送部分２上で移送方向Ｆに対して横に移送方向Ｆに対して傾斜した背の姿勢で丁合いされた印刷物１あるいは綴じてないブックブロック５が、別の移送部分３上で、印刷物１間に大きいピッチ間隔１２を構成するために加速され、印刷物１あるいは綴じてないブックブロック５のサイドエッジ２２が移送方向Ｆに対してほぼ平行な姿勢で存在するように旋回運動によって直立させられ、印刷物１あるいは綴じてないブックブロック５が、この姿勢で無線綴じ装置７の搬送クランプ８内に持ち上げられるようにした、複数の印刷物１から構成される無線綴じの印刷製品の製造方法。【選択図】図１
2008044349.tif 000002
【特許請求の範囲】
【請求項１】
印刷物（１）が、循環する移送装置（４）の移送区間（６）の第１の移送部分（２）上で、綴じてないブックブロック（５）に丁合いされ、後続の別の移送部分（３）上で無線綴じ装置（７）に供給される、複数の印刷物（１）から構成された無線綴じされた印刷製品の製造をするための方法において、
第１の移送部分（２）上で移送方向（Ｆ）に対して横に移送方向（Ｆ）に対して傾斜した背の姿勢で丁合いされた印刷物（１）あるいは綴じてないブックブロック（５）が、別の移送部分（３）上で、印刷物（１）間に大きいピッチ間隔（１２）を構成するために加速され、サイドエッジ（２２）が移送方向（Ｆ）に対してほぼ平行な姿勢で存在するように旋回運動によって直立させられること、印刷物（１）あるいは綴じてないブックブロック（５）が、この姿勢で無線綴じ装置（７）の搬送クランプ（８）内に持ち上げられることを特徴とする方法。
【請求項２】
サイドエッジ（２２）が、ブックブロックの背（２５）を構成することを特徴とする請求項１に記載の方法。
【請求項３】
移送区間（６）の第１の移送部分（２）上で丁合いされた印刷物（１）あるいは綴じてないブックブロック（５）が、少なくとも印刷物（１）の平坦な面（９，１０）への荷重作用によって別の移送部分（３）に保持されることを特徴とする請求項１又は２に記載の方法。
【請求項４】
印刷物（１）の加速及び／又は旋回運動の前に荷重作用結合が行なわれることを特徴とする請求項３に記載の方法。
【請求項５】
印刷物（１）が、循環する移送装置（４）の移送区間（６）の第１の移送部分（２）上で、綴じてないブックブロック（５）に丁合いされ、後続の別の移送部分（３）上で無線綴じ装置（７）に供給され、移送装置（４）が、間隔を置いて案内軌道（１４）上を駆動される、丁合いされた印刷物（１）あるいは綴じてないブックブロック（５）を搬送する移送ユニット（１９）を備える、複数の印刷物（１）から構成された無線綴じされた印刷製品の製造をするための装置において、
移送区間（６）が、第１の移送部分（２）と移送方向（Ｆ）で別の移送部分（３）とによって形成されていること、第１の移送部分（２）が、印刷物（１）の丁合いのために設けられており、この第１の移送部分上で、移送ユニット（１９）が、移送方向（Ｆ）に対して横に移送方向（Ｆ）に対して傾斜した背の姿勢に位置調整されており、別の移送部分（３）が、加速により印刷ユニット（１９）間に大きいピッチ間隔（１２）を構成するため、及び移送ユニット（１９）の旋回運動により印刷物（１）あるいは綴じてないブックブロック（５）を直立させるために形成されていることを特徴とする装置。
【請求項６】
少なくとも別の移送部分（３）の最後の移送領域（２３）内で搬送クランプ（８）内にブックブロック（５）を持ち上げている間、移送ユニット（１９）が、循環する搬送クランプ（８）の移送方向（Ｆ）と同方向に同期させて駆動可能であることを特徴とする請求項５に記載の装置。
【請求項７】
移送ユニット（１９）が、昇降装置（２４）と共に形成されていることを特徴とする請求項６に記載の装置。
【請求項８】
移送ユニット（１９）が、印刷物（１）あるいは綴じてないブックブロック（５）のホルダとして形成されていることを特徴とする請求項５〜７のいずれか１つに記載の装置。
【請求項９】
別の移送部分（３）に、印刷物（１）あるいは綴じてないブックブロック（５）に作用するガイド装置（１８）が配設されていることを特徴とする請求項５に記載の装置。
【請求項１０】
ガイド装置（１８）が、ブラストエア供給装置（２０）によって形成されていることを特徴とする請求項９に記載の装置。
【請求項１１】
ガイド装置（１８）が、スライドガイドとして形成されていることを特徴とする請求項９に記載の装置。
【発明の詳細な説明】
【技術分野】
【０００１】
本発明は、印刷物が、循環する移送装置の移送区間の第１の移送部分上で、綴じてないブックブロックに丁合いされ、後続の別の移送部分上で無線綴じ装置に供給される、複数の印刷物から構成された無線綴じされた印刷製品の製造をするための方法、並びにこの方法を実施するための装置に関する。
【背景技術】
【０００２】
印刷物の次処理で適用される、印刷物を綴じられた印刷製品に綴じるための方法は、工程上、丁合い機械で個々の印刷物を綴じてないブックブロックに丁合いすること、引き続き無線綴じ機の搬送クランプ内にブックブロックを移動させることを必要とする。丁合い機械と無線綴じ機間の移動部は、仕上げ丁合いされる綴じてないブックブロックを、丁合い機械の速度及び丁合い機構により与えられる位置調整の速度で受け取り、無線綴じ機の速度及び要求される無線綴じ機での位置調整の速度で引き渡す機能を少なくとも有する。
【０００３】
第１の従来技術によれば、ブックブロックは、丁合い機械内で、ブックブロックの背の方向に、横断面がＶ字形の、背の折り目に対して若干傾斜した通路内を移送される。同様に長手方向に延在する無線綴じ機へのブックブロックの引渡しは、垂直な平面内で行なわれ、ブックブロックの背の折り目は、下に向かって位置調整されている。丁合い機械内でのブックブロックの移送及び移動は、通常は形状補完的に、チェーン固定された、ブックブロックを押すプッシャによって行なわれる。移動の領域内で例えばブックブロックの振動、見返しの追加及び貼付、綴じ、印刷等のようなオプション加工が何ら実施されない場合、これらは、移送中にのみ背の長手方向に若干傾斜した位置から垂直な位置に直立させられなければならない。丁合い機械が停止した場合、無線綴じ機は、加工部の真中に存在するブックブロックを仕上げ加工するために、更に作動させることができる。このため、ブックブロックを丁合い機械の丁合いチェーンから無線綴じ機の入口の移送チェーンに移動させる引渡し要素が必要となる。引渡し要素は、同様に、ピッチが異なるために生じる丁合い機械と無線綴じ機間の速度差を補正するために使用することができる。この解決策は、非常に簡単であるが、印刷物が最大長さを備える方向に印刷物が移送されるという欠点を有する。これにより、必然的に追従するブックブロック間のピッチ間隔と移送速度は比較的大きくなる。従って、移送速度は、最大限に可能な生産速度の限界を構成することになる。この場合、第１のラインでは丁合い機械の通路領域が該当するが、ここでは、移送が行なわれるために空気の渦が生じる。空気の渦は、綴じてないブックブロックの最も上の印刷物のところで揚力を発生させ、印刷物をブックブロックから持ち上げることができる。丁合い機械を減速させた場合には、綴じてないブックブロックがその運動エネルギーによって前に向かって次のプッシャにぶつかり、これによりその位置調整が失われ、これにより、粗悪な印刷物や機械停止が生じることによって、別の欠点が現れる。
【０００４】
別の従来技術によれば、ブックブロックが静止した通路で丁合い及び移送され、これにより、直立させることを省略することもできる。しかしながらまたここでも、前記特性及び欠点が当て嵌まる。
【０００５】
特許文献１に開示された別の従来技術によれば、綴じてないブックブロックは、無線綴じ機内で背の長手方向に対して横に移送される。印刷物を丁合い機械内で同様に背の長手方向に対して横に移送し、引き続き横に延在する無線綴じ機に移動させることが考えられる。従って、生産速度が同じ場合の移送速度は、背の長手方向の移送に対して低減することができる。この解決策において不利であるのは、個々の加工をするために、加工工具とブックブロック間に背の長手方向の相対運動が必要であるので、無線綴じ機が複雑な構造となることである。
【０００６】
別の従来技術によれば、印刷紙が背の長手方向に対して横に移送ベルト上で上下に重なった魚鱗流の形態に丁合いされ、長手方向に延在する無線綴じ機に移動させる前に、魚鱗隊形から個々のブックブロックに個別化される。特許文献２に開示されているように、個別化の後、ブックブロックは、横に延在する棚に引き渡し、配置することができるので、ブックブロックの背は、下に向かって位置調整され、９０°の転向によって、背の長手方向の移送方向で移送流に移行させられる。この解決策は、背の領域に対して横に延在する丁合い機械の利点を、背の領域の長手方向に延在する無線綴じ機と調和させる。厚みのあるブックブロックや、小さいサイズのブックブロックや、ＣＤ−ＲＯＭのような硬い内容物を有するブックブロックは、この方法では処理できないことが不利に作用する。同様に、ブックブロック内に到達可能な小さい印刷物の位置は、この方法によって限定されている。
【特許文献１】欧州特許第０  ６７５  ００５号明細書
【特許文献２】欧州特許出願公開第１  ５２８  ０２３号明細書
【発明の開示】
【発明が解決しようとする課題】
【０００７】
本発明の根本にある課題は、印刷物流内で第１の速度で連続的かつ背に対して横に移送方向に対して傾斜した背の姿勢で移送されるブックブロックを受け取り、第２の速度で背の長手方向に無線綴じ機の搬送クランプ内に移動させることにある。
【課題を解決するための手段】
【０００８】
この課題は、本発明によれば、第１の移送部分上で移送方向に対して横に移送方向に対して傾斜した背の姿勢で丁合いされた印刷物あるいは綴じてないブックブロックが、別の移送部分上で、印刷物間に大きいピッチ間隔を構成するために加速され、サイドエッジが移送方向に対してほぼ平行な姿勢で存在するように旋回運動によって直立させられること、印刷物あるいは綴じてないブックブロックが、この姿勢で無線綴じ装置の搬送クランプ内に持ち上げられることによって解決される。
【発明を実施するための最良の形態】
【０００９】
引き続き、説明で言及してない全ての詳細に関して参照すべき図面に関連させて実施例を基にして本発明を説明する。
【００１０】
図１は、大いに簡略化した図で無線綴じ設備を概略的に示す。
【００１１】
循環する移送装置４により、移送区間６の第１の移送部分２で印刷物１が綴じてないブックブロック５に丁合いされる。移送装置４は、閉じた案内軌道１４に沿って前進可能な、相前後して配設された複数の移送ユニット１９によって構成される。各移送ユニット１９は個々に駆動可能であり、これにより、案内軌道１４上での速度及び移送ユニット１９間の間隔は変更することができる。移送ユニット１９は、本質的にテーブル１５と、このテーブルに対して垂直に立っているストッパ１６と、テーブル１５及びストッパ１６に対して垂直に立っている、印刷物１を受け止めるためのサイドストッパ１７とから成る。サイドストッパ１７は、丁合い中に必要とされ、印刷物１の当接面１３の領域から移動可能に形成されている。移送ユニット１９は、移送方向Ｆに対して相対的に少なくとも１つの軸を中心として旋回可能である。第１の移送部分２上で、移送ユニット１９は、移送方向Ｆに傾斜した背の姿勢及び当接面１３に向かって若干下がるように位置調整されており、これにより、印刷物１あるいはブックブロック５は、その平坦な面９がテーブル１５と当接し、サイドエッジ２２がストッパ１６に当接し、当接面１３がサイドストッパ１７に当接する。案内軌道１４に沿って配設された給紙装置（図示されてない）は、移送ユニット１９に公知のやり方で印刷物１を装入するので、第１の移送部分２の終端部で、移送ユニット１９は、閉じてない完全なブックブロック５を収容しており、ブックブロックは、その固有重量によって３面が移送ユニット１９に当接するか、３面が移送ユニット１９に向かうように位置調整されている。気流を低下させるため、第１の移送部分２内での連続する移送ユニット１９間のピッチ間隔１１はできるだけ小さく保たれている。
【００１２】
後続の無線綴じ装置７の、循環する軌道２１内に案内された装入すべき搬送クランプ８内で、ブックブロック５は、第１の移送部分２に対して異なった位置調整と大きいピッチ間隔１２とを備える。予めストッパ１６に当接している印刷物１のサイドエッジ２２は、下を指し、ブックブロックの背２５を構成し、平坦な面９，１０が、平行な垂直面内に位置する。このため、ブックブロック５は、別の移送部分３上で大きいピッチ間隔１２を構成するために加速され、移送方向Ｆに対してほぼ平行な姿勢で存在し、この姿勢で昇降装置２４によって無線綴じ装置７の搬送クランプ８内に持ち上げることができるように旋回運動によって直立させなければならない。少なくとも別の移送部分３の最後の移送領域２３内で搬送クランプ８内にブックブロック５を持ち上げている間、移送ユニット１９は、無線綴じ装置７の循環する搬送クランプ８の移送方向と同方向に同期させて運転される。搬送クランプ８によりブックブロック５が把持された後、移送ユニット１９は、再び移送方向Ｆに対する位置調整に関して、丁合いプロセス時に必要な当初の状態に戻される。遅くとも丁合いプロセスの開始前に、移送ユニット１９間の小さいピッチ間隔１１が再び生じさせられる。少なくとも別の移送部分３上で、ブックブロック５は、平坦な面９，１０が、荷重Ｐ，Ｐ’の作用によって移送ユニット１９に保持される。これは、ブックブロック５が、加速及び／又は旋回運動中に移送ユニット１９の表面上でずれることができないようにするために必要である。付加的に、テーブル１５の向かい側にガイド装置１８が設けられているが、このガイド装置は、遅くとも加速及び／又は旋回運動の開始時にブックブロック５の平坦な面１０に対するガイド作用を有効にされる。好ましいガイド装置１８は、多数のブラストエア供給装置２０によって構成され、これらブラストエア供給装置は、第２の移送部分３に沿って配設されており、ブックブロックをテーブル１５に吹き付ける。選択肢として、スライドガイドの使用も同様に考えられる。
【図面の簡単な説明】
【００１３】
【図１】簡略化した図で無線綴じ設備を概略的に示す。
【符号の説明】
【００１４】
１          印刷物
２          移送部分
３          別の移送部分
４          移送装置
５          綴じてないブックブロック
６          移送区間
７          無線綴じ装置
８          搬送クランプ
９          面
１０        面
１１        ピッチ間隔
１２        ピッチ間隔
１３        当接面
１４        案内軌道
１５        テーブル
１６        ストッパ
１７        サイドストッパ
１８        ガイド装置
１９        移送ユニット
２０        ブラストエア供給装置
２１        軌道
２２        サイドエッジ
２３        最後の移送領域
２４        昇降装置
２５        ブックブロックの背
Ｆ          移送方向
Ｐ，Ｐ’    荷重
【図１】
2008044349.tif 000003